(57)【要約】【課題】物品を書類と共にファイリング可能とするとともに、物品収納ケースへの物品の出し入れを容易としうるファイルを提供する。【解決手段】  ファイルは、内面に書類１９等を綴じ込み可能な綴じ込み手段３を有する背カバー１ａの両側縁に、外開き可能な表カバー１ｂと裏カバー１ｃとが連設されたファイル本体１と、一側部に綴じ込み手段３に綴じ込み可能な係脱部１３を有するとともに、表カバー１ｂ側に開閉可能な蓋体１０を有する物品収納ケース２とからなる。【選択図】  図１
2006076044.tif 000002
【特許請求の範囲】
【請求項１】
内面に書類等を綴じ込み可能な綴じ込み手段を有する背カバーの両側縁に、外開き可能な表カバーと裏カバーとが連設されたファイル本体と、一側部に前記綴じ込み手段に綴じ込み可能な係脱部を有するとともに、前記表カバー側に開閉可能な蓋体を有する物品収納ケースとからなることを特徴とするファイル。
【請求項２】
物品収納ケースが、ファイル本体における表カバー側が開口されたケース本体と、その開口部を覆う蓋体とからなり、前記ケース本体と蓋体との一側部に設けた係脱部を綴じ込み手段に着脱可能に綴じ込むとともに、綴じ込み手段と反対側におけるケース本体と蓋体の側面同士を、ヒンジにより連結してなる請求項１記載のファイル。
【請求項３】
物品収納ケースが、ファイル本体における表カバー側が開口されたケース本体と、その開口部を覆う蓋体とからなり、これらケース本体と蓋体との一側部に設けた係脱部を、綴じ込み手段に、該綴じ込み手段の反対側から前記蓋体を開閉しうるように綴じ込んでなる請求項１記載のファイル。
【請求項４】
複数のケース本体を複数段に、かつ各ケース本体がファイル本体の表カバー側に開閉しうるように重ね合わせ、最上位のケース本体の開口部を、蓋体により覆ってなる請求項２または３記載のファイル。
【請求項５】
ケース本体と蓋体とに、該蓋体が開くのを防止する掛止手段を設けてなる請求項２〜４のいずれかに記載のファイル。
【請求項６】
物品収納ケースを扁平な箱状として、その表カバー側の上面板を所要大きさに開口し、この開口部に、蓋体を、一側端を中心として上方に開閉しうるように設けた請求項１記載のファイル。
【請求項７】
物品収納ケース内に緩衝材を充填してなる請求項１〜６のいずれかに記載のファイル。
【発明の詳細な説明】
【技術分野】
【０００１】
本発明は、例えば試作品や新製品などの物品を、それらに関連する書類等と共にファイリング可能としたファイルに関する。
【背景技術】
【０００２】
従来、書類や紙袋を綴じこむことができるとともに、箱もいっしょに綴じ込めるようにすることにより、この箱内に電卓や手帳のような硬いものを収納できるようにしたファイルがある（例えば、特許文献１参照）
【特許文献１】実開平７−２６６７７５号公報
【発明の開示】
【発明が解決しようとする課題】
【０００３】
しかしながら、特許文献１に記載されている従来のファイルは、箱の端面にキャラメル箱のようなフラップ片による蓋を設けた構造のものであり、端面の小幅の開口部から物品の出し入れを行うようになっている。
【０００４】
そのため、物品を取り出すときは、ファイル全体を傾けて箱から物品を滑り落とすしかなく、必要な物品を選択的に取り出したり、箱に収容した状態で蓋を開いて物品を見たりすることはできない。また物品を顧客等に提示する場合、その都度物品を箱から取り出さなければならないめ、取り扱いが不便であるととともに、物品とそれに関連する書類等を誤まってファイリングしてしまう恐れもある。
【０００５】
本発明は、従来の技術が有する上記のような問題点に鑑み、物品を書類等と共にファイリング可能とすることにより、ファイリングの効率を高め、かつ物品収納ケースへの物品の出し入れや物品の提示を容易に行いうるようにしたファイルを提供することを目的とする。
【課題を解決するための手段】
【０００６】
本発明によると、上記課題は、次のようにして解決される。
(１) 本発明のファイルは、内面に書類等を綴じ込み可能な綴じ込み手段を有する背カバーの両側縁に、外開き可能な表カバーと裏カバーとが連設されたファイル本体と、一側部に前記綴じ込み手段に綴じ込み可能な係脱部を有するとともに、前記表カバー側に開閉可能な蓋体を有する物品収納ケースとからなる。
【０００７】
(２)上記(１)項において、物品収納ケースが、ファイル本体における表カバー側が開口されたケース本体と、その開口部を覆う蓋体とからなり、前記ケース本体と蓋体との一側部に設けた係脱部を綴じ込み手段に着脱可能に綴じ込むとともに、綴じ込み手段と反対側におけるケース本体と蓋体の側面同士を、ヒンジにより連結する。
【０００８】
(３)上記(１)項において、物品収納ケースが、ファイル本体における表カバー側が開口されたケース本体と、その開口部を覆う蓋体とからなり、これらケース本体と蓋体との一側部に設けた係脱部を、綴じ込み手段に、該綴じ込み手段の反対側から前記蓋体を開閉しうるように綴じ込む。
【０００９】
(４)上記(２)または(３)項において、複数のケース本体を複数段に、かつ各ケース本体がファイル本体の表カバー側に開閉しうるように重ね合わせ、最上位のケース本体の開口部を、蓋体により覆う。
【００１０】
(５)上記(２)〜(４)項のいずれかにおいて、ケース本体と蓋体とに、該蓋体が開くのを防止する掛止手段を設ける。
【００１１】
(６)上記(１)項において、物品収納ケースを扁平な箱状として、その表カバー側の上面板を所要大きさに開口し、この開口部に、蓋体を、一側端を中心として上方に開閉しうるように設ける。
【００１２】
(７)上記(１)〜(６)項のいずれかにおいて、物品収納ケース内に緩衝材を充填する。
【発明の効果】
【００１３】
本発明によると、次のような効果を奏することができる。
(ａ)請求項１記載の発明によれば、ファイル本体の表カバー側に開閉可能な蓋体を有する物品収納ケースに物品を収容し、この物品収納ケースの一側部に設けた係脱部をファイル本体の綴じ込み手段に綴じ込むことにより、蓋体を上方に開放するだけで、物品収納ケースに収容したまま物品を提示することができるとともに、物品の出し入れも簡単に行うことができる。従って、例えば試作品や新製品、その他任意の物品を、それらに関連する書類等といっしょにファイリングして保管し、効率よく管理しうるとともに、物品と書類等をファイルごと受け渡したり、効率よく提示したりすることができる。
【００１４】
(ｂ)請求項２記載の発明によれば、物品収納ケースをファイル本体の綴じ込み手段より外し、蓋体をヒンジを中心として開閉することにより、ケース本体の開口部を大きく開放することができるので、物品収納ケースへの物品の出し入れが容易となる。
【００１５】
(ｃ)請求項３記載の発明によれば、ファイル本体に物品収納ケースを綴じ込んだままの状態で、蓋体を大きく開放することができるので、物品収納ケースへの物品の出し入れが極めて容易となる。
【００１６】
(ｄ)請求項４記載の発明によれば、各段のケース本体内に、種類等の異なる物品を収納したり、数多くの物品を収納したりすることができる。
【００１７】
(ｅ)請求項５記載の発明によれば、蓋体が妄りに開放することがなくなるので、ファイルの保管や持ち運び中に物品が物品収納ケースより飛び出る恐れはない。
【００１８】
(ｆ)請求項６記載の発明によれば、ファイル本体に物品収納ケースを綴じ込んだ状態のまま、蓋体を上方に開放させて、物品を容易に出し入れすることができる。
【００１９】
(ｇ)請求項７記載の発明によれば、緩衝材により、物品の損傷、又は物品収納ケース内で物品の移動やがた付き等を防止することができる。
【発明を実施するための最良の形態】
【００２０】
以下、本発明の実施形態を図面に基いて説明する。
図１は、本発明のファイルの第１の実施形態を示す分解斜視図、図２は、同じく、要部の縦断側面図である。
同図に示すように、本発明のファイルは、ファイル本体(１)と、このファイル本体(１)にファイリングされる物品収納ケース(２)とを備えている。
【００２１】
ファイル本体(１)は、厚紙、プラスチック等からなり、中央部の背カバー(1a)の両側縁に、表カバー(1b)と裏カバー(1c)とを外開き可能に一体的に連設してある。背カバー(1a)の内面中央部には、綴じ込み手段としてのバインダ(３)が設けられている。
【００２２】
このバインダ(３)は、背カバー(1a)の内面に固定された固定金具(3a)と、この固定金具(3a)の一側縁にヒンジ(４)により連結された雄金具(3b)と、固定金具(3a)の他側縁にヒンジ(５)により連結された押え金具(3c)と、雄金具(3b)のピン(６)に挿入されるスリーブ(７)を有する雌金具(８)とを備える周知の構造のものである。
【００２３】
物品収納ケース(２)は、上面（以下、表ケース(1b)側を上として説明する）が開口された扁平な方形箱状のケース本体(９)と、この上面の開口部を覆う、下面が開口された箱状の蓋体(10)とからなり、ファイル本体(１)の表裏のカバー(1b)(1c)間に収容される大きさに形成されている。
【００２４】
ケース本体(９)と蓋体(10)とは、前部（以下、背カバーと反対の開放側を前とする）に取り付けられたヒンジ(11)により開閉可能に連結され、後部寄りの両側部に取り付けられた掛止手段としての公知の止め具(12)により、蓋体(10)が閉じられた状態で止められている。蓋体(10)の上面板(10a)とケース本体(９)の底面板(9a)との後部には、それぞれバインダ(３)に綴じ込むための係脱部、すなわち突出部(13)(13)が延設され、この突出部(13)には、１対の綴じ孔(14)が形成されている。この綴じ孔(14)の間隔は、上記ピン(６)の間隔と等しく、例えばＪＩＳ規格のパンチ孔と同一の間隔（８０mm）とすることが好ましい。
【００２５】
図２に示すように、物品収納ケース(２)を、蓋体(10)を閉じた状態で、上下の突出部(13)の綴じ孔(14)をピン(６)に挿入したのち、ピン(６)に雌金具(８)のスリーブ(７)を挿入し、ファイル本体(１)の背カバー(1a)を垂直に立てて固定金具(3a)を収納ケース(２)の背後に対向させ、押え金具(3c)を雌金具(８)上に折り曲げて、係合孔(15)を雌金具(８)の係合突起(16)に係合させて固定する。これにより、物品収納ケース(２)は、バインダ(３)によりファイル本体(１)内に綴じ込められる。
【００２６】
ケース本体(９)および蓋体(10)内には、例えば発泡樹脂等からなる緩衝材(17)が充填され、両緩衝材(17)の間に、例えば、電子基板等の新製品や試作品、その他任意の物品(18)を挟み込んで収納することができる。
【００２７】
図２に示すように、バインダ(３)には、書類(19)が一緒に綴じられている。この書類(19)は、例えば、設計図や改定履歴等、収納される物品(18)に関係するもの、又はその他任意のものである。
物品(18)を見る際、または取り出す場合は、押え金具(3c)を外して雌金具(８)を抜き、物品収納ケース(２)をバインダ(３)から外した後、止め具(12)の係合を解除して蓋体(10)を上方に開けばよい。
【００２８】
以上のように、物品(18)を収納した物品収納ケース(２)を、書類(19)と一緒にファイリングすることができるので、新製品、試作品等の物品(18)と書類(19)が常に１つにファイリングされ、別々に探す必要がなくなるとともに、社内等での管理もしやすくなり、さらに物品(18)の受け渡しや提示もファイルごと行えるので効率がよくなる。
【００２９】
図３は、本発明のファイルの第２の実施形態を示す分解斜視図である。
物品収納ケース(２)は、扁平箱状をなし、その上面板(10a)の一部を方形に開口し、この開口部に、ヒンジ(20)により連結された上方に開閉可能な平板状の蓋体(21)を設けたものである。ファイル本体(１)や、バインダ(３)からなる綴じ込み手段は第１の実施形態と同一である。
物品収納ケース(２)内には、上記と同様の緩衝材（図示略）が充填されている。
【００３０】
この第２の実施形態では、蓋体(21)を、つまみ(21a)を持って上方に開放することにより、緩衝材の最上部に載せて収容した物品（図示略）を開示したり、取り出したりすることができる。従って、物品収納ケース(２)をファイル本体(１)に綴じたままでよく、その都度物品収納ケース(２)をファイル本体(１)から外す必要がないので、より効率がよくなる。
【００３１】
図４は、本発明のファイルの第３の実施形態を示す。
第３の実施形態では、第１の実施形態とほぼ同形をなす物品収納ケース(２)におけるケース本体(９)と蓋体(10)の後端面（図の右側）に、両者を連結するヒンジ(11)(11)を設けるとともに、ケース本体(９)の後端面の２箇所に綴じ孔(22)(22)を設け、ファイル本体(１)の背カバー(1a)の内面に取り付けたバインダ(23)における開閉可能のリング(24)(24)を、上記綴じ孔(22)に通すことにより、物品収納ケース(２)をファイル本体(１)に綴じ込んでいる。ケース本体(９)と蓋体(10)の前部（図４左方）の両側面には止め具(12)が取付けられている。
【００３２】
この第３の実施形態においても、ファイル本体(１)の前部の開放側で蓋体(10)を上方に開閉することができるので、物品収納ケース(２)への物品の出し入れを、ファイル本体(１)に綴じたまま行うことができ、その都度物品収納ケース(２)をファイル本体(１)から外す必要がないので、より効率がよくなる。
【００３３】
図５は、本発明のファイルの第４の実施形態を示す。
第４の実施形態の物品収納ケース(２)は、上面が開口する３個のケース本体(９)を、下位のケース本体(９)の開口部を綴じるようにして重ね、最上部のケース本体(９)の開口部を、平板状の蓋体(25)により閉じるようにしてある。上下に隣接するケース本体(９)同士と、最上部のケース本体(９)と蓋体(25)とは、前部の両側面に取り付けられた止め具(12)により重ね合わせた状態で止められている。上部の２個のケース本体(９)と蓋体(25)は、後端部に形成した綴じ孔(26)を、ファイル本体(１)の背カバー(1a)に固着したバインダ(23)のリング(24)に挿通することにより、下位のケース本体(９)に対し、上方に開閉可能となっている。
各ケース本体(９)内には、緩衝材(17)が充填されている。
【００３４】
この第４の実施形態では、止め具(12)を外して、蓋体(25)及び上部の２個のケース本体(９)を上方に開くことにより、各ケース本体(９)に収納した物品(18)を、ファイル本体(１)に綴じたまま提示したり、取り出したりすることができる。
また、各段のケース本体(９)に、種類等の異なる物品(18)を収納したり、数多くの物品(18)を収納したりしうるので便利である。
【００３５】
ケース本体(９)と蓋体(10)(25)及びケース本体(９)同士を開閉不能に掛止する掛止手段は、上記のような公知の止め具(12)の代わりに、永久磁石を互いの対向面に埋設したり、面ファスナ等を用いたりしてもよい。また、キー付きの止め具を用いてセキュリティ対策を施してもよい。
【図面の簡単な説明】
【００３６】
【図１】本発明のファイルを開いたときの第１の実施形態を示す分解斜視図である。
【図２】同じく、ファイルを閉じたときのバインダのピン取付部における縦断側面図である。
【図３】同じく、第２の実施形態を示す分解斜視図である。
【図４】同じく、第３の実施形態を示す斜視図である。
【図５】同じく、第４の実施形態を示す縦断側面図である。
【符号の説明】
【００３７】
(１)ファイル本体
(1a)背カバー
(1b)表カバー
(1c)裏カバー
(２)物品収納ケース
(３)バインダ（綴じ込み手段）
(3a)固定金具
(3b)雄金具
(3c)押え金具
(４)(５)ヒンジ
(６)ピン
(７)スリーブ
(８)雌金具
(９)ケース本体
(9a)底面板
(10)蓋体
(10a)上面板
(11)ヒンジ
(12)止め具（掛止手段）
(13)突出部（係脱部）
(14)綴じ孔
(15)係合孔
(16)係合突起
(17)緩衝材
(18)物品
(19)書類
(20)ヒンジ
(21)蓋体
(21a)つまみ
(22)綴じ孔
(23)バインダ（綴じ込み手段）
(24)リング
(25)蓋体
(26)綴じ孔
【図１】
2006076044.tif 000003
【図２】
2006076044.tif 000004
【図３】
2006076044.tif 000005
【図４】
2006076044.tif 000006
【図５】
2006076044.tif 000007